(57)【要約】【課題】不正開蓋が確実にわかるようにする。【解決手段】鍔部２０を有する上蓋１５とキャップ本体１とをヒンジ１０結合し、該キャップ本体１に周方向弱化部２５を介して帯状保護カバー２６を設け、該帯状保護カバー２６に、上蓋１５の係合部に係止する係止部を設けたヒンジキャップにおいて；前記帯状保護カバー２６に、こじ開け防止部２８を設ける。【選択図】  図２
2005008150.tif 000002
【特許請求の範囲】
【請求項１】
鍔部を有する上蓋とキャップ本体とをヒンジ結合し、該キャップ本体に周方向弱化部を介して帯状保護カバーを設け、該帯状保護カバーに前記上蓋の係合部を係止せしめる係止部を設けたヒンジキャップにおいて；
前記帯状保護カバーに、こじ開け防止部を設けたことを特徴とするヒンジキャップ。
【請求項２】
前記こじ開け防止部は、前記キャップ本体の下端近傍まで伸びる板状体であることを特徴とする請求項１記載のヒンジキャップ。
【請求項３】
前記こじ開け防止部の幅は、前記係合部を係止せしめる係止部の幅より大きいことを特徴とする請求項１、又は、２記載のヒンジキャップ。
【請求項４】
前記帯状保護カバーは、前記係止部近傍に縦弱化部を備えていることを特徴とする請求項１、２、又は、３記載のヒンジキャップ。
【請求項５】
前記こじ開け防止部の内面、又は、前記キャップ本体の外面に隙間狭小リブを設けたことを特徴とする請求項１、２、３、又は、４記載のヒンジキャップ。
【請求項６】
前記周方向弱化部は、前記係止部近傍が他の部分より弱く形成されていることを特徴とする請求項１、２、３、４、又は、５記載のヒンジキャップ。
【請求項７】
前記上蓋の係合部は、鍔部、又は、鍔部近傍に設けたこじ開け規制突起であることを特徴とする請求項１、２、３、４、５、又は、６記載のヒンジキャップ。
【発明の詳細な説明】
【０００１】
【発明の属する技術分野】
この発明は、容器口部に装着されるキャップに関するものであり、更に述べれば、悪戯防止用の帯状保護カバーを備えたヒンジキャップに関するものである。
【０００２】
【従来の技術】
従来、次の様なヒンジキャップが用いられている（例えば、特許文献１、参照）。
上蓋と下蓋からなり、瓶口に対して下蓋凸部と内栓体によって嵌合密栓され、開蓋用爪部を持ってヒンジ部を中心に開け、リング状開栓引手を持って切除開口部を除去し、開栓するタイプの瓶栓において；下蓋と接続部で連結して帯体保護カバーを一体成形し、開口用爪部及び上蓋と下蓋の接面部周囲を被覆し、かつ、上蓋の外周凸部と帯体保護カバーの凹部が嵌合し、保護カバー接続部の引手部を持って引いて、切断除去しなければ上蓋を開くことができない構造の瓶蓋。
【０００３】
このキャップでは、帯体保護カバーの上端部に指をかけてこじ開ける等の、悪戯などにより不正に開蓋する場合、接続部に大きな力がかかり、該接続部は切れてしまう。そのため、開蓋後、上蓋を閉めても、不正開蓋されたことを知ることができる。
【０００４】
【特許文献１】実開平２−１２９０５７号公報
【０００５】
【発明が解決しようとする課題】
従来例の帯体保護カバーは、幅が小さく、閉蓋時における鍔部より上方及び下方に、わずかしか突出していない。そのため、帯体保護カバーの上端側を指で外方に押すと、該帯体カバーは変形し、接続部を破壊することなく開けられてしまうので、不正開蓋に気が付かないことがある。
【０００６】
この発明は、上記事情に鑑み、こじ開けによる不正開封がされにくく、万が一不正開封された場合でも、外観上から不正開封品を識別できるようにすることを目的とする。
【０００７】
【課題を解決するための手段】
この発明は、鍔部を有する上蓋とキャップ本体とをヒンジ結合し、該キャップ本体に周方向弱化部を介して帯状保護カバーを設け、該帯状保護カバーに前記上蓋の係合部を係止せしめる係止部を設けたヒンジキャップにおいて；前記帯状保護カバーに、こじ開け防止部を設けたことを特徴とする。
【０００８】
この発明の前記こじ開け防止部は、キャップ本体の下端近傍まで伸びる板状体であることを特徴とする。この発明のこじ開け防止部の幅は、前記係合部に係止せしめる係止部の幅より大きいことを特徴とする。
【０００９】
この発明の帯状保護カバーは、係止部近傍に縦弱化部を備えていることを特徴とする。この発明のこじ開け防止部の内面、又は、前記キャップ本体の外面に隙間狭小リブを設けたことを特徴とする。
【００１０】
この発明の周方向弱化部は、係止部近傍が他の部分より弱く形成されていることを特徴とする。この発明の上蓋の係合部は、鍔部、又は、鍔部近傍に設けたこじ開け規制突起であることを特徴とする。
【００１１】
【発明の実施の形態】
この発明の第１実施の形態を図１〜図３により説明する。
キャップ本体１は、ヒンジ１０を介して上蓋１５に連結されている。キャップ本体１は、頂壁２と、該頂壁２に連続する外筒３と、該外筒３の内側に設けられた、内筒４と、を備えている。
【００１２】
頂壁２の上面には、環状係止部５が設けられ、該係止部５の内側には注出筒６が設けられている。この注出筒６の内側には、切除開口部７が設けられている。この開口部７はプルリング８を引っ張り、裂溝８ａから引き裂かれることにより、開口する。外筒３の内面には、容器口部の環状凹部（図示省略）に嵌着される、環状凸部９が設けられている。
【００１３】
上蓋１５は、天板１６とスカート部１７とを備えている。天板１６の内面には、環状シール壁１８が設けられ、又、スカート部１７の内面下部には、前記係止部５と係合する、環状係合部１９が設けられている。
【００１４】
スカート部１７の下端面は、キャップ本体１の上面外周部２ａに当接する、接合面となっており、又、該スカート部１７のヒンジ１０と反対側には、指を掛けるための鍔部２０が設けられている。
この鍔部２０の両側近傍には、こじ開け規制突起３２が設けられている。この突起３２の突出量は、鍔部２０のそれより小さく形成されている。
【００１５】
外筒３には、周方向弱化部２５を介して帯状保護カバー２６が接続され、この帯状保護カバー２６の下端には、こじ開け防止部２８が設けられている。
前記帯状保護カバー２６には、鍔部２０を収容する収納凹部３０が設けられている。前記カバー２６は、前記接合面を覆うように、該収納凹部３０を中心に左右に円弧状に伸びているが、その配設長さ（配設角度）は、必要に応じて適宜選択され、例えば、配設角度＝２００度が選ばれる。
【００１６】
周方向弱化部２５として、ブリッジ２５ａとスリット２５ｂとが用いられているが、その長さ等は、必要に応じて適宜選択される。例えば、このブリッジ２５ａの長さ又は厚さは、収納凹部３０側を他の部分より小さく形成し、弱くする。
なお、周方向弱化部２５は、前記ブリッジに限定されるものではなく、例えば、薄肉部にしても良い。
【００１７】
こじ開け防止部２８は、収納凹部３０の幅より大きい幅を有する、円弧状板体であり、帯状保護カバー２６の収納凹部３０の下方側に連続しており、その下端２８ａはキャップ本体１の下端１ａ近傍まで伸びている。
【００１８】
次に、本実施の形態の作動について説明する。
通常の開蓋の場合
最初に上蓋１５を開ける時には、帯状保護カバー２６の一端部２６ａを指で摘んで鍔部２０の方向に引っ張ると、ブリッジ２５ａが切れて、帯状保護カバー２６がキャップ本体１から取り去られ、鍔部２０が露出する。この状態において鍔部２０に指を掛けて上蓋１５を開ける。
【００１９】
不正開蓋の場合
帯状保護カバー２６の上端部に指を掛け、こじ開けようとすると、こじ開け防止部２８は周方向弱化部２５を支点として変位し、その下端２８ａは、図２の一端鎖線２８で示すように、キャップ本体１の下端１ａに圧接するので、それ以上変位できなくなる。
【００２０】
そのため、更に同方向に力を入れてこじ開けて鍔部２０を摘もうとすると、ブリッジ２５ａが切れてしまう。従って、上蓋１５を開けた時には、必ずブリッジ２５ａは切れてしまうことになるので、不正開蓋を確実に知ることができる。
【００２１】
この発明の第２実施の形態を図４により説明する。
この実施の形態と第１実施の形態との相違点は、帯状保護カバ−２６に縦弱化部２２を形成したことである。この縦弱化部２２は、収納凹部３０の両側に設けられた、縦方向の薄肉部であるが、その形状、配置位置、本数等は、必要に応じて適宜選択され、例えば、わかりやすいように帯状保護カバー２６の表面側に形成しても良い。この縦弱化部２２を設けると、不正開蓋の際、ブリッジとともに縦弱化部２２が切れるので、不正開蓋されたことがより確実にわかる。
【００２２】
この発明の第３実施の形態を図５、図６により説明する。
この実施の形態と第１実施の形態との相違点は、こじ開け防止部２８の内面に、キャップ本体１とこじ開け防止部２８との隙間を小さくする、隙間狭小リブ２９を設けたことである。
【００２３】
このリブ２９は、こじ開け防止部２８の長手方向に沿って複数本設けられ、かつ、その下端１ａ近傍まで伸びている。このリブ２９によりキャップ本体１と、こじ開け防止部２８との隙間は、第１実施の形態に比べ狭くなるので、こじ開け防止部２８の変位可能範囲は狭くなる。そのため、前記第１実施の形態よりも早く周方向弱化部が切れる。なお、このリブ２９の形状、配置位置、本数等は、必要に応じて適宜選択される。
【００２４】
【発明の効果】
この発明は、帯状保護カバーにこじ開け防止部材を設けたので、不正開蓋をしようとして帯状保護カバーをこじ開けると、周方向弱化部が切れてしまう。そのため、確実に、不正開蓋を知ることができる。
【図面の簡単な説明】
【図１】本発明の第１実施の形態を示す図で、閉蓋状態のキャップの正面図である。
【図２】図１の一部縦断面拡大図である。
【図３】開蓋状態の平面図である。
【図４】本発明の第２実施の形態を示す図で、閉蓋状態のキャップの正面図である。
【図５】本発明の第３実施の形態を示す図で、閉蓋状態のキャップの正面図である。
【図６】図５の一部縦断面拡大図である。
【符号の説明】
１    キャップ本体
２６  帯状保護カバー
２８  こじ開け防止部
【図１】
2005008150.tif 000003
【図２】
2005008150.tif 000004
【図３】
2005008150.tif 000005
【図４】
2005008150.tif 000006
【図５】
2005008150.tif 000007
【図６】
2005008150.tif 000008